(57)【要約】【課題】  本発明は、患者を確実に確認することで、患者の入れ替わりを確実に防止することができ、患者に適切な治療を行うことができる患者認識システムおよび患者認識用転写シートを提供することを課題とする。【解決手段】  患者登録端末１によって来院した患者の患者情報をサーバ３から取得し、取得した患者情報を符号化した印字データを作成し、作成した印字データを鏡像に変換する鏡像処理を行って転写シートに印字すると共に、患者に貼着されている符号化された患者情報を患者確認端末２によって読み取り、読み取った患者情報に基づいてカルテ情報をサーバ３から取得して表示する。転写シートは、印字データが印字層として印字される印字シートと、白色層を介して印字層を患者に貼着させる粘着剤シートとからなる。【選択図】  図１
2011148313.tif 000002
【特許請求の範囲】
【請求項１】
患者認識システムに用いられる転写シートであって、
前記印字手段によって印字される鏡像処理が施された前記印字データが印字層として印字される印字シートと、該印字シートに印字された前記印字層を患者に貼着させる粘着剤シートとからなり、
前記印字シートは、一方の面が前記印字手段によって印字可能な印字面として機能する透明性のある印字保護層と、
該印字保護層の他方の面に設けた水溶層と、
該水溶層の他方の面に設けたシート基材とを具備し、
前記粘着剤シートは、白色層として機能する白濁した粘着剤層と、
該粘着剤層の両面にそれぞれ設けた第１剥離シートおよび第２剥離シートとを具備することを特徴とする患者認識用転写シート。
【発明の詳細な説明】
【技術分野】
【０００１】
本発明は、符号化情報を用いて患者を認識する患者認識システムに用いられる患者認識用転写シートに関し、特に患者に貼着された符号情報を用いて患者を認識可能とする患者認識用転写シートに関する。
【背景技術】
【０００２】
近年、患者を取り違え、間違った治療を施してしまう医療事故の例が何件も報告されている。患者を認識する方法としては、名札、診察カード、カルテ等の患者を識別できる患者識別票によって行うのが一般的であり、患者識別票の確認を人為的に行うことにより、患者の取り違えが発生してしまう。そこで、患者識別票にバーコードを印字したり、ＩＣチップ、ＩＣカード、磁気チップを内蔵させたりして、電子的に本人確認が行うことで患者の取り違えの発生を防止することが提案されている（例えば、特許文献１参照）。
【０００３】
しかしながら、従来技術では、患者識別票は、患者の衣服に取り付けたり、患者が持ち歩いたりするものであるため、患者本人のものと入れ替わっている恐れがあり、患者識別票が患者本人のものと入れ替わっていた場合には、患者を取り違え、間違った治療を施してしまう恐れがあるという問題点があった。
【先行技術文献】
【特許文献】
【０００４】
【特許文献１】特開２００１−３１２５６６号公報
【発明の概要】
【発明が解決しようとする課題】
【０００５】
本発明は斯かる問題点に鑑みてなされたものであり、その目的とするところは、患者を確実に確認することで、患者の入れ替わりを確実に防止することができ、患者に適切な治療を行うことができる患者認識システムに用いられる患者認識用転写シートを提供する点にある。
【課題を解決するための手段】
【０００６】
本発明は上記課題を解決すべく、以下に掲げる構成とした。
患者認識システムに用いられる転写シートであって、前記印字手段によって印字される鏡像処理が施された前記印字データが印字層として印字される印字シートと、該印字シートに印字された前記印字層を患者に貼着させる粘着剤シートとからなり、前記印字シートは、一方の面が前記印字手段によって印字可能な印字面として機能する透明性のある印字保護層と、該印字保護層の他方の面に設けた水溶層と、該水溶層の他方の面に設けたシート基材とを具備し、前記粘着剤シートは、白色層として機能する白濁した粘着剤層と、該粘着剤層の両面にそれぞれ設けた第１剥離シートおよび第２剥離シートとを具備することを特徴とする患者認識用転写シートに存する。
【発明の効果】
【０００７】
本発明の患者認識システムおよび患者認識用転写シートは、患者登録端末によって来院した患者の前記患者情報をサーバから取得し、取得した患者情報を符号化した印字データを作成し、作成した印字データを鏡像に変換する鏡像処理を行って印字すると共に、患者確認端末によって符号化された患者情報を読み取り、読み取った患者情報に基づいてカルテ情報をサーバから取得して表示するように構成することにより、粘着剤層を介して印字層を直接患者に貼着させる転写シートに患者情報を印字することができ、符号化した患者情報を直接患者に貼着させることができるため、患者を確実に確認することで、患者の入れ替わりを確実に防止することができ、患者に適切な治療を行うことができるという効果を奏する。
【０００８】
さらに、本発明の患者認識システムおよび患者認識用転写シートは、患者ＩＤを含む印字データを転写シートに印字するように構成することにより、符号化された患者情報が読みとれない場合にも、患者ＩＤで患者を確認することができると共に、患者確認端末では、患者ＩＤが入力されると、患者情報が印字された転写シートを再発行されるように構成することにより、患者に貼着されている符号化された患者情報を簡単に更新することができるという効果を奏する。
【０００９】
さらに、本発明の患者認識システムおよび患者認識用転写シートは、白色層を介して符号化された患者情報を患者に貼着するように構成することにより、患者に貼着されている符号化された患者情報を読み取るに際し、皮膚の色に影響されることなく、符号化された患者情報を精度良く読み取ることが可能になるという効果を奏する。
【図面の簡単な説明】
【００１０】
【図１】本発明に係る患者認識システムの実施の形態の構成を示すシステム構成図である。
【図２】図１に示す患者登録端末の構成を示すブロック図である。
【図３】図１に示す患者確認端末の構成を示すブロック図である。
【図４】本発明に係る患者認識システムに用いられる転写シート例を示す概略断面図である。
【図５】図１に示すプリンタによって印字が施された転写シートの状態を示す図である。
【図６】図４に示す転写シートの使用方法を説明するための説明図である。
【図７】図４に示す転写シートの転写後の状態を示す図である。
【図８】図１に示す患者登録端末の動作を説明するためのフローチャートである。
【図９】図１に示す患者確認端末の動作を説明するためのフローチャートである。
【図１０】図１に示すプリンタによって印字が施された転写シートの他の状態を示す図である。
【発明を実施するための形態】
【００１１】
以下、本発明の実施の形態を図面に基づいて詳細に説明する。
【００１２】
図１は、本発明に係る患者認識システムの実施の形態の構成を示すシステム構成図であり、図２は、図１に示す患者登録端末の構成を示すブロック図であり、図３は、図１に示す患者確認端末の構成を示すブロック図である。
【００１３】
本実施の形態の患者認識システムは、例えば、病院に設置され、診察する患者を認識するためのシステムであり、図１を参照すると、受付に設置され、来院した患者を登録するための患者登録端末１と、診療室等に設置され、診察する患者を認識するための患者確認端末２と、患者を特定する患者ＩＤを少なくとも含み、患者名、生年月日、血液型等からなる患者情報とカルテ情報とが記憶されているサーバ３とがインターネットや院内ＬＡＮ等のネットワーク４によって接続されている。患者登録端末１は、来院した患者を登録する端末であり、ネットワーク４に接続されたパーソナルコンピュータ（ＰＣ）５と、ＰＣ５に接続されたプリンタ６とからなる。また、患者確認端末２は、診療室等に訪れた患者を確認するための端末であり、パーソナルコンピュータ（ＰＣ）７と、ＰＣ７に接続されたスキャナ８およびプリンタ９とからなる。
【００１４】
患者登録端末１のＰＣ５は、図２を参照すると、患者ＩＤ、患者名、生年月日等の来院した患者を特定する特定情報を入力する入力部１１と、ネットワーク４を介してサーバ３と情報の送受信を行う送受信部１２と、送受信部１２を介して入力部１１に入力された特定情報をサーバ３に送信することで、サーバ３から患者情報を取得してプリンタ６に出力する患者情報取得部１３と、入力部１１によって入力された情報が表示される表示部１４とからなる。
【００１５】
プリンタ６は、患者ＩＤと符号化した患者情報とからなり、鏡像処理された印字データを、後述する転写シートに印字する印字手段であり、図２を参照すると、ＰＣ５の患者情報取得部１３から入力された患者情報をＱＲコード等の２次元コードやバーコードに符号化して、患者情報に含まれている患者ＩＤと符号化した患者情報とからなる印字データを作成する符号化処理部１５と、符号化処理部１５によって作成された印字データを鏡像に変換する鏡像処理部１６とを有し、鏡像処理部１６によって鏡像に変換された印字データを後述する転写シートに印字する。なお、プリンタ６の印字方式としては、インクの微細な粒子を吐出させて印字を行うインクジェット方式や、固形インクを薄く塗布したインクリボンに加熱した印字ヘッドを押しつけてインクを溶かして転写する熱転写方式等を用いることができる。
【００１６】
患者確認端末２のＰＣ７は、図３を参照すると、患者ＩＤを入力する入力部２１と、ネットワーク４を介してサーバ３と情報の送受信を行う送受信部２２と、スキャナ８から患者情報が入力されると、送受信部２２を介して入力された患者情報をサーバ３に送信することで、サーバ３からカルテ情報を取得すると共に、入力部２１から患者ＩＤが入力されると、送受信部２２を介して入力された患者ＩＤをサーバ３に送信することで、サーバ３から患者情報およびカルテ情報を取得し、取得した患者情報をプリンタ６に出力するカルテ情報取得部２３と、カルテ情報取得部２３によって取得されたカルテ情報が表示される表示部２４とからなる。
【００１７】
スキャナ８は、符号化され印字された患者情報を光学的に走査して、反射光の強度を計ることで符号化された患者情報を取り込み、取り込んだ患者情報を復号化してＰＣ７に出力する。
【００１８】
プリンタ９は、患者ＩＤと符号化した患者情報とからなり、鏡像処理された印字データを、後述する転写シートに印字する印字手段であり、図３を参照すると、ＰＣ５の患者情報取得部１３から入力された患者情報をＱＲコード等の２次元コードやバーコードに符号化して、患者情報に含まれている患者ＩＤと符号化した患者情報とからなる印字データを作成する符号化処理部２５と、符号化処理部２５によって作成された印字データを鏡像に変換する鏡像処理部２６とを有し、鏡像処理部２６によって鏡像に変換された印字データを後述する転写シートに印字する。なお、プリンタ９の印字方式としては、インクの微細な粒子を吐出させて印字を行うインクジェット方式や、固形インクを薄く塗布したインクリボンに加熱した印字ヘッドを押しつけてインクを溶かして転写する熱転写方式等を用いることができる。
【００１９】
次に、本実施の形態に用いられる転写シートについて図４および図５を用いて詳細に説明する。
図４は、本発明に係る患者認識システムに用いられる転写シート例を示す概略断面図であり、図５は、図１に示すプリンタによって印字が施された転写シートの状態を示す図である。
【００２０】
本実施の形態の患者認識システムに用いられる転写シート、すなわちプリンタ６によって印字が施される転写シートは、図４を参照すると、一方の面が印字可能な印字面となっている印字シート３０と、印字シート３０に印字された印字内容を患者に貼り付ける粘着剤シート４０とからなる。
【００２１】
印字シート３０は、図４（ａ）に示すように、一方の面が印字面として機能する透明な印字保護層３１と、印字保護層３１の他方の面に設けた水溶層３２と、水溶層３２の他方の面に設けたシート基材３３とを備えている。
【００２２】
印字保護層３１は、透明性が高く、且つ印字適正を持つ合成樹脂を用いることができる。例えば、ポリエチレン、ポリスチレン、ポリエステル、スチレン系樹脂、アクリル系樹脂等を単一又は混合して用いることができる。また、印字保護層３１は、二酸化ケイ素、酸化チタン、炭酸カルシウム等を配合することで多孔性として印字特性を向上させると良い。
【００２３】
水溶層３２は、天然ポリマーであるコーンスターチ等のでんぷんやデキストラン等の微生物粘質物、半合成ポリマーである酸化でんぷんや変質でんぷん、合成ポリマーであるポリアクリル酸やポリエチレンオキシドやポリビニルアルコール等を単一又は混合して用いることができる。
【００２４】
シート基材３３は、水分が浸透しやすい基材が用いられ、例えば中質紙、上質紙、クラフト紙等を用いることができる。
【００２５】
粘着剤シート４０は、図４（ｂ）に示すように、白色層として機能する白濁した粘着剤層４１と、粘着剤層４１の一方の面に設けた第１剥離シート４２と、粘着剤層４１の他方の面に設けた第２剥離シート４３とを備えている。
【００２６】
粘着剤層４１は、アクリル系、ゴム系、シリコーン系、スチレン系、エラストマー等から適宜選択することができる。被着体、すなわち認識対象の固体が人体である場合には、炎症等を起こすことがないように皮膚への刺激が少ない絆創膏用の粘着剤が好適であり、例えばアクリル系の粘着剤が好ましい。
【００２７】
第１剥離シート４２および第２剥離シート４３は、粘着剤層４１と接する面にシリコーン樹脂等の剥離剤が塗布したクラフト紙やグラシン紙、同じくシリコーン樹脂等の剥離剤を塗布したポリエチレンテレフタレートやポリエチレンやポリプロピレン等のフィルム系樹脂等を用いることができ、粘着剤層４１を保護して必要なときに剥離することができれば特に制限はない。
【００２８】
図５は、プリンタ６によって印字が施された転写シートの状態が示されており、図５（ａ）に示すように、印字保護層３１の印字面にプリンタ６によって印字が施され、印字層３４が形成されている。印字保護層３１の印字面には、鏡像処理された印字データが印字されるため、印字保護層３１の印字面側から見ると、図５（ｂ）に示すように、符号化された患者情報（２元コード）と患者ＩＤとが鏡像で印字される。
【００２９】
次に、本実施の形態における転写シートの使用方法について図６および図７を用いて詳細に説明する。
図６は、図４に示す転写シートの使用方法を説明するための説明図であり、図７は、図４に示す転写シートの転写後の状態を示す図である。
【００３０】
まず、図６（ａ）に示すように、粘着剤シート４０から第１剥離シート４２を剥離して粘着剤層４１を露出させ、露出させた粘着剤層４１を印字シート３０の表出している面である印字層３４に重ねて貼着する。
【００３１】
次に、図６（ｂ）に示すように、第２剥離シート４３を剥離して粘着剤層４１を露出させた後、図６（ｃ）に示すように、露出した粘着剤層４１によって患者に直接貼着する。
【００３２】
次に、シート基材３３側から水分を供給する。シート基材３３は、水分が浸透しやすい基材が用いられているので、水分は水溶層３２に達し、水溶層３２が溶ける。これにより、図６（ｄ）に示すように、シート基材３３を取り除くことができ、転写シートの印字シート３０に印字された符号化情報である印字層３４を視認可能な状態で患者に転写することができる。
【００３３】
患者に転写された印字層３４は、透明性のある印字保護層３１を通して視認可能な状態となる。従って、印字層３４として印字保護層３１の印字面に印字されている符号化された患者情報（２元コード）と患者ＩＤとは、図７に示すように、正像となり、符号化された患者情報（２元コード）をスキャナ８によって読み取ることができると共に、患者ＩＤを視認することができる。
【００３４】
次に、本実施の形態の動作について図８および図９を参照して詳細に説明する。
図８は、図１に示す患者登録端末の動作を説明するためのフローチャートであり、図９は、図１に示す患者確認端末の動作を説明するためのフローチャートである。
【００３５】
まず、病院に患者が来院すると、患者登録端末１において、ＰＣ５の入力部１１から患者ＩＤ、患者名、生年月日等の来院した患者を特定する特定情報を入力する（ステップＡ１）。入力部１１から特定情報が入力されると、患者情報取得部１３は、送受信部１２を介して特定情報をサーバ３に送信することで（ステップＡ２）、サーバ３から患者情報を取得し（ステップＡ３）、取得した患者情報をプリンタ６に出力する。
【００３６】
患者情報が入力されたプリンタ６は、符号化処理部１５によって、入力された患者情報を符号化して（ステップＡ４）、符号化した患者情報と患者ＩＤとからなる印字データを作成し（ステップＡ５）、鏡像処理部１６によって、印字データを鏡像に変換する鏡像処理を行い（ステップＡ６）、鏡像処理を施した印字データを転写シートに印字する（ステップＡ７）。この鏡像処理を施した印字データが印字された転写シートを用い、図６（ａ）〜（ｄ）に示す手順で、符号化された患者情報と患者ＩＤとを患者の皮膚に貼着することにより、受付を終了する。
【００３７】
患者が診察室に訪れると、患者確認端末２において、スキャナ８で印字保護層３１を介して患者に貼着されている符号化された患者情報を読み取る（ステップＢ１）。なお、スキャナ８で患者に貼着されている符号化された患者情報を読み取るに際し、符号化された患者情報、すなわち印字層３４は、白色層として機能する粘着剤層４１によって患者に貼着されているため、皮膚の色に影響されることなく、符号化された患者情報を精度良く読み取ることが可能になる。
【００３８】
スキャナ８によって読み取られた符号化された患者情報は、復号化され、カルテ情報取得部２３に出力される。カルテ情報取得部２３は、患者情報が入力されると、入力された患者情報に基づいて、スキャナ８によって正常に読み取りが行えたか否かを判断する（ステップＢ２）。
【００３９】
ステップＢ２で正常に読み取りが行えたと判断された場合には、カルテ情報取得部２３は、送受信部２２を介して入力された患者情報をサーバ３に送信することで（ステップＢ３）、サーバ３からカルテ情報を取得し（ステップＢ４）、取得したカルテ情報を表示部２４に表示させる（ステップＢ５）。
【００４０】
ステップＢ２で正常に読み取りが行えなかったと判断された場合には、カルテ情報取得部２３は、表示部２４に患者ＩＤの入力を促すメッセージを表示する。符号化された患者情報が正常に読みとれない場合でも、患者ＩＤが視認できるため、患者に貼着されている患者ＩＤを入力部２１から入力することができる。入力部２１から患者ＩＤが入力されると（ステップＢ６）、カルテ情報取得部２３は、送受信部１２を介して入力された患者ＩＤをサーバ３に送信することで（ステップＢ７）、患者情報およびカルテ情報の取得し（ステップＢ８）、プリンタ９に出力する。
【００４１】
プリンタ９は、符号化処理部２５によって、入力された患者情報を符号化して（ステップＢ９）、符号化した患者情報と患者ＩＤとからなる印字データを作成し（ステップＢ１０）、鏡像処理部２６によって、印字データを鏡像に変換する鏡像処理を行い（ステップＢ１１）、鏡像処理を施した印字データを転写シートに印字する（ステップＢ１２）。これにより、印字保護層３１の汚れや、印字層３４におけるシワの発生等の何らかの要因によって、患者に貼着されている符号化された患者情報が読めない場合には、符号化された患者情報が印字された転写シートを再発行することができ、符号化した患者情報を患者に再貼着させることができる。
【００４２】
また、転写シートを再発行と平行して、カルテ情報取得部２３は、ステップＢ８で取得されたカルテ情報を表示部２４に表示させ（ステップＢ５）、患者の確認を終了する。
【００４３】
次に、プリンタ６、９によって印字が施された転写シートの他の状態について図１０を用いて詳細に説明する。
図１０は、図１に示すプリンタによって印字が施された転写シートの他の状態を示す図である。
【００４４】
図１０（ａ）を参照すると、プリンタ６、９によって、印字層３４を印字保護層３１の印字面に印字後、白色印字層３５が重ねて印字されており、白色印字層３５は、図１０（ｂ）に示すように、白色のベタ印字である。このように白色印字層３５を印字層３４に重ねて印字することにより、粘着剤層４１を白色層として機能される必要がなくなり、粘着剤層４１に用いることができる粘着剤の制限が緩和される。
【００４５】
以上説明したように、本実施の形態によれば、患者登録端末１によって来院した患者の患者情報をサーバ３から取得し、取得した患者情報を符号化した印字データを作成し、作成した印字データを鏡像に変換する鏡像処理を行って印字すると共に、患者確認端末２によって符号化された患者情報を読み取り、読み取った患者情報に基づいてカルテ情報をサーバ３から取得して表示するように構成することにより、粘着剤層４１を介して印字層３４を直接患者に貼着させる転写シートに患者情報を印字することができ、符号化した患者情報を直接患者に貼着させることができるため、患者を確実に確認することで、患者の入れ替わりを確実に防止することができ、患者に適切な治療を行うことができるという効果を奏する。
【００４６】
さらに、本発明の患者認識システムおよび患者認識用転写シートは、患者ＩＤを含む印字データを転写シートに印字するように構成することにより、符号化された患者情報が読みとれない場合にも、患者ＩＤで患者を確認することができると共に、患者確認端末２では、患者ＩＤが入力されると、患者情報が印字された転写シートを再発行されるように構成することにより、患者に貼着されている符号化された患者情報を簡単に更新することができるという効果を奏する。
【００４７】
さらに、本発明の患者認識システムおよび患者認識用転写シートは、白色層（粘着剤層４１又は白色印字層３５）を介して符号化された患者情報を患者に貼着するように構成することにより、患者に貼着されている符号化された患者情報を読み取るに際し、皮膚の色に影響されることなく、符号化された患者情報を精度良く読み取ることが可能になるという効果を奏する。
【００４８】
なお、本実施の形態では、患者確認端末２をＰＣ７、スキャナ８およびプリンタ９によって構成し、診療室に設置するように構成したが、入院患者のように医師が患者の所に行く場合には、患者確認端末２として、スキャナ８に対応する読み取り機能、ＰＣ７に対応する表示機能および無線ＬＡＮ等を用いたサーバへの送受信機能を有する個人用の情報端末（ＰＤＡ：Personal  Digital  Assistants）を用いるようにしても良く、さらにプリンタ９に対応する印字機能を有するＰＤＡを用いるようにしても良い。
【００４９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００５０】
１  患者登録端末
２  患者確認端末
３  サーバ
４  ネットワーク
５  パーソナルコンピュータ（ＰＣ）
６  プリンタ、
７  パーソナルコンピュータ（ＰＣ）
８  スキャナ
９  プリンタ
１１  入力部
１２  送受信部
１３  患者情報取得部
１４  表示部
１５  符号化処理部
１６  鏡像処理部
２１  入力部
２２  送受信部
２３  カルテ情報取得部
２４  表示部
２５  符号化処理部
２６  鏡像処理部
３０  印字シート
３１  印字保護層
３２  水溶層
３３  シート基材
３４  印字層
３５  白色印字層
４０  粘着剤シート
４１  粘着剤層（白色層）
４２  第１剥離シート
４３  第２剥離シート
【図１】
2011148313.tif 000003
【図２】
2011148313.tif 000004
【図３】
2011148313.tif 000005
【図４】
2011148313.tif 000006
【図５】
2011148313.tif 000007
【図６】
2011148313.tif 000008
【図７】
2011148313.tif 000009
【図８】
2011148313.tif 000010
【図９】
2011148313.tif 000011
【図１０】
2011148313.tif 000012